(57)【要約】【課題】  片方向通信設備を利用したインタラクティブ映像配信サービスを実現する。【解決手段】  配信サーバ１は番組主催者がカメラ７−１で撮影した映像を実時間で符号化し視聴者端末３−１に対してマルチキャスト配信する。視聴者端末３−１はサーバ１によりマルチキャスト配信された映像を受信、復号し、映像を表示する。管理サーバ５は視聴者端末３−１の番組受信状況を把握し、視聴者端末３−１による、視聴者端末３−１に接続されたカメラ７−２で撮影された映像の実時間での符号化と、マルチキャストでの該映像の配信の開始および停止の制御を行う。モニタ端末４は管理サーバ５に対して視聴者からのマルチキャスト配信および停止の契機を与え、かつ視聴者端末３−１からのマルチキャスト配信された映像を受信、復号し、映像を表示する。【選択図】    図１
2005039598.tif 000002
【特許請求の範囲】
【請求項１】
マルチキャストを用いた映像配信を実現するネットワークシステムにおけるインタラクティブ映像配信システムであって、
番組主催者がカメラで撮影した映像を実時間で符号化し、１つ以上の視聴者端末にマルチキャスト配信する１つまたは複数の配信サーバと、
前記視聴者端末の番組受信状況を把握し、前記視聴者端末による、前記視聴者端末に接続されたカメラで撮影された映像の実時間での符号化と、マルチキャストでの該映像の配信の開始および停止の制御を行う管理サーバと、
前記管理サーバに対して視聴者からのマルチキャスト配信および停止の契機を与え、かつ視聴者端末からのマルチキャスト配信された映像を受信、復号し、映像を表示する１つのモニタ端末とを有し、
これらはマルチキャスト可能なネットワークに接続されるインタラクティブ映像配信システム。
【請求項２】
前記管理サーバは、視聴者端末を接続するエッジルータからの視聴者端末の接続／切断による状態変化通知もしくは視聴者端末からの状態変化通知のいずれかにより、視聴者端末の番組受信状況を把握する手段と、前記モニタ端末からの命令により任意の視聴者端末に対して、前記視聴者端末が撮影する映像をマルチキャスト配信させる手段と、映像を配信させた前記視聴者端末以外の全視聴端末に対して、前記マルチキャストグループへ参加させる手段を有している、請求項１記載のインタラクティブ映像配信システム。
【請求項３】
マルチキャストを用いた映像配信を実現するネットワークシステムにおけるインタラクティブ映像配信システムであって、
番組主催者がカメラで撮影した映像を実時間で符号化し、１つ以上の視聴者端末にマルチキャスト配信する１つまたは複数の配信サーバと、
前記視聴者端末の番組受信状況を把握し、前記視聴者端末による、前記視聴者端末に接続されたカメラで撮影された映像の実時間での符号化と、マルチキャストでの該映像の配信の開始および停止の制御を行う管理サーバに対して視聴者からのマルチキャスト配信および停止の契機を与え、かつ視聴者端末からのマルチキャスト配信された映像を受信、復号し、映像を表示する一つのモニタ端末とを有し、
これらはマルチキャスト可能なネットワークに接続されるインタラクティブ映像配信システム。
【請求項４】
視聴者端末を接続するエッジルータからの視聴者端末の接続／切断による状態変化通知もしくは前記視聴者端末からの状態変化通知のいずれかにより、視聴者端末の番組受信状況を把握する手段と、視聴者端末からのマルチキャスト配信された映像を受信、復号し、映像を表示するモニタ端末からの命令により任意の視聴者端末に対して、前記視聴者端末が撮影する映像をマルチキャスト配信させる手段と、映像を配信させた前記視聴者端末以外の全視聴端末に対して、マルチキャストグループへ参加させる手段を有する管理サーバ。
【請求項５】
視聴者端末において、自身が参加しているマルチキャストグループの映像と、視聴者端末の番組受信状況を把握し、前記視聴者端末による、前記視聴者端末に接続されたカメラで撮影された映像の実時間での符号化と、マルチキャストでの該映像の配信の開始および停止の制御を行う管理サーバからの命令で参加する別の視聴者端末からのマルチキャストグループの映像を同時に画面に表示する手段を有することを特徴とする視聴者端末。
【請求項６】
視聴者端末において、自身が参加しているマルチキャストグループから離脱すると、エッジルータからの視聴者端末の状態変化通知もしくは視聴者端末からの状態変化通知のいずれかにより視聴者端末の番組受信状況を把握する管理サーバからの命令によって、管理サーバからの命令で参加する別の視聴者端末からのマルチキャストグループからも同時に離脱する手段を有することを特徴とする視聴者端末。
【発明の詳細な説明】
【技術分野】
【０００１】
本発明は、マルチキャストを用いた映像配信を実現するネットワークシステムにおけるインタラクティブ映像配信システムに関するものである。
【背景技術】
【０００２】
従来、片方向通信設備を備えた放送型の映像配信サービスにおいて、視聴者参加型のインタラクティブ番組を提供しようとすると、番組主催者はメイン映像に対して視聴者からの映像発信を受信し、画面合成し、再配信することのできる装置を用意するか、ＴＶ会議用の多地点接続装置を用いて、メイン映像を配信するしかなかった。従来の多地点接続装置は、ＴＶ会議等の双方向コミュニケーション用に作られており、多地点接続装置に接続してくる会議参加者の映像を合成・分配する機能や会議の模様を多人数の視聴者に対して映像配信する機能は備えてはいるものの、通常ＴＶ会議参加者の映像合成のプロセスと多人数への映像配信のプロセスは独立しており、任意の視聴者を会議に参加させたり、任意のＴＶ会議参加者を番組主催者側から離脱させたりすることはできなかった。すなわち、従来の多地点接続装置を用いる方法ではＴＶ会議型のサービスに加え、放送型のサービスを同時に提供することは困難であった。
【非特許文献１】「従来のＴＶ会議用システム」日経コミュニケーションズ  ２００３．６．９  ｐｐ．６０−７８
【発明の開示】
【発明が解決しようとする課題】
【０００３】
本発明の目的は、片方向通信設備を利用した放送型サービスを提供する映像配信システムにおいて、メインコンテンツ映像の配信に加え、視聴者の映像の発信を制御し、メインコンテンツ映像と同時に視聴者の映像を受信させることにより、番組出演者と視聴者がお互いの映像を通してコミュニケーションすることを可能とし、また、番組主催者にとって、メイン映像と視聴者からの映像を合成する装置を不要にするとともに、任意の視聴者を番組に参加させたり、任意の番組参加者を番組から離脱させたりすることを可能にし、インタラクティブ型の番組を提供することを可能にするインタラクティブ映像配信システムを提供することにある。
【課題を解決するための手段】
【０００４】
上記目的を達成するために、本発明のマルチキャスト映像配信システムは、
番組主催者がカメラで撮影した映像を実時間で符号化し、１つ以上の視聴者端末にマルチキャスト配信する１つまたは複数の配信サーバと、
前記視聴者端末の番組受信状況を把握し、前記視聴者端末による、前記視聴者端末に接続されたカメラで撮影された映像の実時間での符号化と、マルチキャストでの該映像の配信の開始および停止の制御を行う管理サーバと、
前記管理サーバに対して視聴者からのマルチキャスト配信および停止の契機を与え、かつ視聴者端末からのマルチキャスト配信された映像を受信、復号し、映像を表示する一つのモニタ端末とを有し、
これらはマルチキャスト可能なネットワークに接続される。
【０００５】
管理サーバは、視聴者端末を接続するエッジルータからの視聴者端末の状態変化通知もしくは視聴者端末からの状態変化通知のいずれかにより、視聴者端末の番組受信状況を把握する手段と、モニタ端末からの命令により任意の視聴者端末に対して、視聴者端末が撮影する映像を、未使用のマルチキャストグループに対してマルチキャスト配信させる手段と、映像を配信させた視聴者端末以外の全視聴端末に対して、マルチキャストグループへ参加させる手段を有する。
【０００６】
視聴者端末は、自身が参加しているマルチキャストグループの映像と、管理サーバからの命令で参加する別の視聴者端末からのマルチキャストグループの映像を同時に画面に表示する手段を有する。
【０００７】
視聴者端末は、自身が参加しているマルチキャストグループから離脱すると、エッジルータからの視聴者端末の状態変化通知もしくは視聴者端末からの状態変化通知のいずれかにより視聴者端末の番組受信状況を把握する管理サーバからの命令によって、管理サーバからの命令で参加する別の視聴者端末からのマルチキャストグループからも同時に離脱する手段を有する。
【０００８】
番組主催者は、番組進行上、司会者等の意志によって、番組に参加させる視聴者を選択し、選択された視聴者は、管理サーバからの制御により視聴者自身の映像をマルチキャストさせるとともに、該番組を視聴している視聴者の端末にも同時に受信させる。これにより、片方向通信のアーキテクチャを利用した双方向通信を実現する。
【発明の効果】
【０００９】
以上説明したように、本発明によれば、視聴者が番組内の出演者とお互いの映像を通してコミュニケーションすることが可能になり、片方向通信設備を利用したインタラクティブ映像配信サービスを実現できる。また、メインコンテンツ画像内に視聴者自身の画像が表示されることが可能になるため、視聴者があたかも自身が番組コンテンツ内に参加しているかの様な臨場感を味わえる。番組主催者にとって、メインコンテンツと視聴者からの映像を合成する装置が不要となるため、モニタ端末１台を用意するだけで簡易にサービスを実現できる。ネットワークサービス提供者も管理サーバを１台用意するだけで複数の番組主催者を対象にサービスを一元的に提供することが可能になる。カメラを持つ番組視聴者は、専用のソフトをインストールするだけで、インタラクティブ映像配信サービスを受けることができ、カメラを持たない視聴者もメイン映像と視聴者の映像の双方を同時に視聴することができるため、インタラクティブ番組を視聴することができる。
【発明を実施するための最良の形態】
【００１０】
次に、本発明の実施の形態について図面を参照して説明する。
【００１１】
図１は本発明の一実施形態のインタラクティブ映像配信システムの構成図である。
【００１２】
配信サーバ１、視聴者端末３−１、モニタ端末４、管理サーバ５はそれぞれエッジルータ６−１，６−２，６−３，６−４を介してネットワーク２に接続される。配信サーバ１にはカメラ７−１とエンコーダ８−１が接続されている。配信サーバ１、モニタ端末４、管理サーバ５、カメラ７−１、エンコーダ８−１は番組主催者設備９を構成している。視聴者端末３−１にもカメラ７−２とエンコーダ８−２が接続されている。番組主催者は、カメラ７−１で撮影した映像をエンコーダ８−１で符号化し、配信サーバ１により、エッジルータ６−１およびネットワーク２を通してマルチキャスト配信する。番組視聴者は、カメラ７−２で自身の映像を撮影し、エンコーダ８−２で符号化し、視聴者端末３−１により、エッジルータ６−４およびネットワーク２を通してマルチキャスト配信する。視聴者端末３−１およびモニタ端末４は、配信サーバ１からの映像と視聴者端末３−１からの映像を同時に受信する。特にモニタ端末４は、同時に視聴者の番組への参加・離脱の命令を入力する端末であるという点で視聴者端末３−１とは異なる。管理サーバ５は、視聴者端末３−１に対する番組参加および離脱の制御、視聴者の視聴状態の管理、モニタ端末４に対する視聴者状態通知を行う。
【００１３】
図２は、視聴者端末３−１が番組を受信する手順のうち、エッジルータ６−４が視聴者状態情報を管理サーバ５に送信する場合のシーケンス図である。配信サーバ１から、マルチキャストグループ（Ｇ１）宛にメイン映像１０−１が配信されている状態において、視聴者端末３−１がエッジルータ６−４に対して、Ｇ１への視聴要求１１−１を送出すると、エッジルータ６−４は、メイン映像１０−１を視聴者端末３−１に対して送信し（ここまでは、マルチキャストの一般的手法である）、視聴者端末３−１はメイン映像１０−１を受信することができる。続いて、エッジルータ６−４は、視聴者状態情報１２−１を管理サーバ５に送信することで、管理サーバ５は視聴者の受信状態を把握し、管理サーバ５は視聴者状態情報１２−１をモニタ端末４に送信し、番組主催者は視聴者の番組視聴状況を知ることができる。
【００１４】
図３は、視聴者端末３−１が番組の視聴を停止する手順のうち、エッジルータ６−４が視聴者状態情報を管理サーバ５に送信する場合のシーケンス図である。配信サーバ１から、マルチキャストグループ（Ｇ１）宛にメイン映像１０−１が配信されている状態において、視聴者端末３−１が、エッジルータ６−４に対して、Ｇ１への視聴停止要求１３−１を送出すると、エッジルータ６−４は、メイン映像１０−１の視聴者端末３−１への映像の配信停止１４−１を行う（ここまでは、マルチキャストの一般的手法である）。続いて、エッジルータ６−４は、視聴者状態情報１２−１を管理サーバ５に送信することで、管理サーバ５は視聴者の受信状態を把握し、管理サーバ５は視聴者状態情報１２−１をモニタ端末４に送信し、番組主催者は視聴者の番組視聴状況を知ることができる。続いて、もし視聴者端末３−１が自身もしくは他の視聴者からの発信映像をマルチキャストグループＧ２で受信している状態にある場合には、管理サーバ５は視聴者端末３−１へマルチキャストグループＧ２の離脱指示１５−１を送信し、視聴者端末３−１はマルチキャストグループＧ２の視聴停止要求１６−１をエッジルータ６−４に送信する。なお、視聴停止要求１６−１を受信したエッジルータ６−４の動作は、前記マルチキャストアドレスＧ１の停止手順に準じる。
【００１５】
図４は、視聴者端末３−１が番組を受信する手順のうち、視聴者端末３−１が視聴者状態情報を管理サーバ５に送信する場合のシーケンス図である。配信サーバ１から、マルチキャストグループ（Ｇ１）宛にメイン映像１０−１が配信されている状態において、視聴者端末３−１が、エッジルータ６−４に対して、Ｇ１への視聴要求１１−１を送出すると、エッジルータ６−４は、メイン映像１０−１を視聴者端末３−１に送信し（ここまでは、マルチキャストの一般的手法である）、視聴者端末３−１はメイン映像１０−１を受信することができる。続いて、視聴者端末３−１は、視聴者状態情報１２−２を管理サーバ５に送信することで、管理サーバ５は視聴者の受信状態を把握し、管理サーバ５は視聴者状態情報１２−２をモニタ端末４に送信し、番組主催者は視聴者の番組視聴状況を知ることができる。
【００１６】
図５は、視聴者端末３−１が番組の視聴を停止する手順のうち、視聴者端末３−１が視聴者状態情報を管理サーバ５に送信する場合のシーケンス図である。配信サーバ１から、マルチキャストグループ（Ｇ１）宛にメイン映像１０−１が配信されている状態において、視聴者端末３−１が、エッジルータ６−４に対して、Ｇ１への視聴停止要求１３−１を送出すると、エッジルータ６−４はメイン映像１０−１の視聴端末３−１への映像の配信停止１４−１を行う（ここまでは、マルチキャストの一般的手法である）。続いて、視聴者端末３−１は、視聴者状態情報１２−２を管理サーバ５に送信することで、管理サーバ５は視聴者の受信状態を把握し、管理サーバ５は視聴者状態情報１２−２をモニタ端末４に送信し、番組主催者は視聴者の番組視聴状況を知ることができる。続いて、もし視聴者端末３−１が自身もしくは他の視聴者からの発信映像をマルチキャストグループＧ２で受信している状態にある場合には、管理サーバ５は視聴者端末３−１へマルチキャストグループＧ２の離脱指示１５−１を送信し、視聴者端末３−１はマルチキャストグループＧ２の視聴停止要求１６−１をエッジルータ６−４に送信する。なお、視聴停止要求１６−１を受信したエッジルータ６−４は、前記マルチキャストアドレスＧ１の停止手順に準じて、マルチキャストグループＧ２の視聴者端末３−１への配信を停止する。
【００１７】
また、モニタ端末４のメイン映像の受信および停止に関しては、視聴者端末３−１のそれに準じる。
【００１８】
図６は、番組主催者が視聴者を番組に参加させ、インタラクティブ番組を実現する場合のシーケンス図である。モニタ端末４は、管理サーバ５に対して、番組に参加させたい視聴者を通知するために、参加要請メッセージ２０を送信する。ここで、視聴者端末３−２を番組に参加させるとし、参加要請メッセージ２０にて、視聴者端末３−２のＩＰアドレスを管理サーバ５に通知する。次に、管理サーバ５は、視聴者端末３−２に対して参加指示メッセージ２１を送信するとともに視聴者参加用マルチキャストアドレスＧ２を通知する。また、視聴者端末３−３およびモニタ端末４にも、それぞれ視聴指示メッセージ２２−１，２２−２を送信するとともに、視聴者が参加する映像を受信するためのマルチキャストアドレスＧ２を通知する。次に、視聴者が参加する映像を受信するためのマルチキャストアドレスＧ２を知った視聴者端末３−２、視聴者端末３−３、およびモニタ端末４は、それぞれＧ２に対する視聴要求メッセージ１１−２，１１−３，１１−４をエッジルータ６に送信することで、視聴者端末３−２の送信する映像を受信する。受信手順については、図２または図３の手順に準じる。
【００１９】
図７は、番組主催者が番組に参加している視聴者からの映像を停止させる場合のシーケンス図である。視聴者端末３−２が番組に参加しているとすると、モニタ端末４は視聴者端末３−２がマルチキャスト配信しているアドレスＧ２からの離脱要求メッセージ２４を管理サーバ５に対して送信する。次に、管理サーバ５が、視聴者端末３−２に対してＧ２からの離脱指示メッセージ２５を送信すると、視聴者端末３−１は映像の配信を停止１４−２するとともに、マルチキャストアドレスＧ２の視聴停止要求メッセージをエッジルータ６−４に送信し、自ら配信している映像の受信を停止する。管理サーバ５は、視聴者端末３−３およびモニタ端末４にも、視聴者端末３−２からの映像の受信を停止するよう、それぞれ視聴停止指示メッセージ２６−１，２６−２を送信する。受信を停止すべき番組のマルチキャストアドレスＧ２を知った視聴者端末３−３およびモニタ端末４は、それぞれ視聴停止要求メッセージ１６−３，１６−４をエッジルータ６に送信し、視聴者端末３−１から配信されている映像の配信を停止する。視聴停止手順については、図３または図５の手順に準じる。
【００２０】
図８は、番組主催者が番組に参加を希望する視聴者を番組内で呼びかけることで募集し、それに応じて番組視聴者が参加を希望する場合、番組主催者が番組参加者を選択する場合のシーケンス図である。視聴者端末３−１は管理サーバ５に対して参加要求３０を送信する。管理サーバ５は、受信した参加要求３０を参加要求３１としてモニタ端末４に転送する。モニタ端末４は、受信した参加要求３０の中から任意の一人の視聴者を任意にもしくはランダムに選び、管理サーバ５に対して参加要請３２を送信する。参加要請３２を受けた管理サーバ５は、図６の手順に従い、許可した視聴者からの映像を配信させる。
【００２１】
図９は、本実施形態を具体的に示すソフトウェア構成のうち、エッジルータ６に状態変化通知機能を持つ場合の例である。モニタ端末ソフト６０は視聴者制御機能部６１を含み、視聴者端末サーバソフト６２は配信制御受付機能部６３を含み、エッジルータソフト６４は状態通知機能部６５を含み、管理サーバソフト６６は視聴者状態管理機能部６７を含む。基本的な動作は図２〜８で説明したとおりであるが、各ソフトウェアの機能部の動作内容をさらに詳しく述べる。
【００２２】
番組主催者が視聴者に対して番組参加や離脱を要請する場合は、モニタ端末ソフト６０上の視聴者制御機能部６１が、管理サーバソフト６６上の視聴者状態管理機能部６７に対して、視聴者の参加要請または離脱要請のメッセージを送信し、視聴者状態管理機能部６７は、視聴者端末ソフト６２上の配信制御受付機能部６３に対して、参加指示または離脱指示メッセージを送信することで、視聴者端末ソフト６２は視聴者の映像の送信または停止を実行する。視聴者端末からの参加要求は、配信制御受付機能部６３が視聴者状態管理機能部６７に参加要求メッセージを送信し、視聴者状態管理機能部６７が視聴者制御機能部６１に該メッセージを転送することで、番組主催者は、視聴者からの番組参加要求を認識する。視聴者による番組の視聴開始および停止は、視聴者端末ソフト６２から送出される視聴要求もしくは視聴停止要求のためのメッセージ７０をエッジルータソフト６４が受信することにより実行され、その視聴者状態は、状態通知機能部６５により管理サーバソフト６６上の視聴者状態管理機能部６７に逐次通知される。視聴者状態管理機能部６７は、逐次視聴者状態をモニタ端末ソフト６０上の視聴者制御機能部６１に通知することで、番組管理者は、視聴者の視聴状態を知ることができる。
【００２３】
図１０は、本実施形態を具体的に示すソフトウェア構成のうち、視聴者端末３−１に状態変化通知機能を持つ場合の例である。視聴者の状態通知の仕組み以外は、図９で説明したエッジルータに状態変化通知機能を持つ場合の例と同様である。視聴者による番組の視聴開始および停止の状態変化は、視聴者端末ソフト６２上の状態通知機能部６５から管理サーバソフト６６上の視聴者状態管理機能部６７に逐次通知される。視聴者状態管理機能部６７は、逐次視聴者状態をモニタ端末ソフト６０上の視聴者制御機能部６１に通知することで、番組管理者は、視聴者の視聴状態を知ることができる。
【００２４】
図１１は視聴者端末のディスプレイの画面８０を示している。視聴者は、所望の番組をチャネルボタン８３により選択すると、チャネルに対応した映像がメイン映像ウィンドウ８１に表示される。視聴者映像ウィンドウ８２は、番組で参加が許可された視聴者の映像を表示する。視聴者が番組参加を要求する場合は、番組参加ボタン８４を押下する。このことにより、図９に示した手順により番組主催者に参加意志が伝達される。また、番組の配信を停止する場合は、番組離脱ボタン８５を押下するか、他のチャネルボタンを押下することにより、図９に示した手順により、番組の停止が行われる。
【００２５】
図１２はモニタ端末４のディスプレイの画面９０の構成を示している。番組主催者は、メイン映像ウィンドウ９２により番組のメイン映像を受信し、視聴者映像ウィンドウ９１により、参加を許可した視聴者の映像を表示する。視聴者の選択の仕方は、図９に示した視聴者制御機能部６８により自動的に決定する場合は、ランダム視聴者選択ボタン９５を押下し、任意に選択する場合は、視聴者選択ボタン９３を押下する。
【００２６】
図１３は本発明の他の実施形態のインタラクティブ映像配信システムの構成図である。本実施形態では、番組主催者設備９が番組主催者設備９−１と、ネットワーク事業者の設備９−２に分けられている。３−２はカメラ７−２を装備する視聴者端末であり、自らの映像を発信することができる。３−３はカメラを持たない視聴者端末であり、自らの映像を発信することはできない。これらは、ネットワーク２上の異なるエッジルータ６に接続した例であり、ネットワーク構成によらず、独立に配備している。この配置により、ネットワークサービス提供者が複数の番組主催者のインタラクティブ映像配信サービスの実現を可能にし、カメラ７−２を持たないユーザも番組の視聴が可能になる。
【図面の簡単な説明】
【００２７】
【図１】本発明の一実施形態のインタラクティブ映像配信システムの構成図である。
【図２】視聴者端末２が番組を受信する手順で、エッジルータ６−４が視聴者状態情報を管理サーバ１１に送信する場合のシーケンス図である。
【図３】視聴者端末２が番組の視聴を停止する手順で、エッジルータ６−４が視聴者状態情報を管理サーバ１１に送信する場合のシーケンス図である。
【図４】視聴者端末２が番組を受信する手順で、視聴者端末２が視聴者状態情報を管理サーバ１１に送信する場合のシーケンス図である。
【図５】視聴者端末２が番組の視聴を停止する手順で、視聴者端末２が視聴者状態情報を管理サーバ１１に送信する場合のシーケンス図である。
【図６】番組主催者が視聴者を番組に参加させ、インタラクティブ番組を実施する場合のシーケンス図である。
【図７】番組主催者が番組に参加している視聴者からの映像を停止させる場合のシーケンス図である。
【図８】番組主催者が、番組に参加する視聴者を番組内で呼びかけることで募集し、それに応じて番組視聴者が参加を希望する場合のシーケンス図である。
【図９】図１の実施形態におけるソフトウェア構成のうち、エッジルータ６−４に状態変化通知機能部を持つ場合を示す図である。
【図１０】図１の実施形態におけるソフトウェア構成のうち、視聴者端末に状態変化通知機能部を持つ場合を示す図である。
【図１１】視聴者端末のディスプレイの構成図である。
【図１２】モニタ端末４のディスプレイの構成図である。
【図１３】本発明の他の実施形態のインタラクティブ映像配信システムの構成図である。
【符号の説明】
【００２８】
１    配信サーバ
２    ネットワーク
３−１〜３−４    視聴者端末
４    モニタ端末
５    管理サーバ
６−１〜６−６    エッジルータ
７−１，７−２    カメラ
８−１，８−２    エンコーダ
９，９−１    番組主催者設備
９−２    ネットワーク事業者の設備
１０−１    メイン映像
１１−１〜１１−４    視聴要求
１２−１，１２−２    視聴者状態情報
１３−１    視聴停止要求
１４−１，１４−２    映像の配信停止
１５−１    離脱指示
１６−１〜１６−４    視聴停止要求
２０    参加要請
２１    参加指示
２２−１，２２−２    視聴指示
２３    視聴者映像の配信
２４    離脱要請
２５    離脱指示
２６−１，２６−２    視聴停止指示
３０，３１    参加要求
３２    参加要請
６０    モニタ端末ソフト
６１    視聴者制御機能部
６２    視聴者端末ソフト
６３    配信制御受付機能部
６４    エッジルータソフト
６５    状態通知機能部
６６    管理サーバソフト
６７    視聴者状態管理機能部
８０，９０    画面
８１，９２    メイン映像ウィンドウ
８２，９１    視聴者映像ウィンドウ
８３    チャネルボタン
８４    番組参加ボタン
８５    番組離脱ボタン
９３    視聴者選択ボタン
９４    ランダム視聴者選択ボタン
【図１】
2005039598.tif 000003
【図２】
2005039598.tif 000004
【図３】
2005039598.tif 000005
【図４】
2005039598.tif 000006
【図５】
2005039598.tif 000007
【図６】
2005039598.tif 000008
【図７】
2005039598.tif 000009
【図８】
2005039598.tif 000010
【図９】
2005039598.tif 000011
【図１０】
2005039598.tif 000012
【図１１】
2005039598.tif 000013
【図１２】
2005039598.tif 000014
【図１３】
2005039598.tif 000015